(57)【特許請求の範囲】
【請求項１】
外面が透明な素材からなり、内部に収容空間が形成され、前記収容空間を取り囲む部分の内部には、太陽エネルギーによって加熱される保温用流体が満たされるように形成されて外部の太陽エネルギーを受けて、前記保温用流体に熱を貯蔵し、前記熱で前記収容空間に収容された対象物を保温する本体部材と、
前記本体部材の一側に形成されて、前記本体部材を窓に着脱可能にする着脱部材と、
を含み、
前記本体部材は、
透明な素材からなる外部本体部と、
前記外部本体部に収容されるように形成され、上側が開口されるように形成された内部本体部と、
前記外部本体部と前記内部本体部との間の上端の開口された部分を密閉するように形成されて、前記外部本体部と前記内部本体部との間に満たされた前記保温用流体の外部への流出を防止する密閉部と、
前記内部本体部の開口された部分を開閉するように形成されたカバー部と、
を含み、
前記内部本体部は、熱伝導性に優れた遮光性の素材からなることを特徴とする温蔵庫。
【請求項２】
前記本体部材の一側に形成されて太陽エネルギーを電気エネルギーに変換する太陽電池部と、
前記外部本体部と、前記内部本体部と、保温用流体のうち選択された何れか一つに形成され、前記太陽電池部と電気的に連結された加熱部と、
をさらに含むことを特徴とする請求項１に記載の温蔵庫。
【請求項３】
前記本体部材の一側に形成されて太陽エネルギーを電気エネルギーに変換する太陽電池部と、
前記外部本体部の一側に形成されて、前記太陽電池部と電気的に連結された電源コンセントと、
をさらに含むことを特徴とする請求項１に記載の温蔵庫。
【発明の詳細な説明】
【技術分野】
【０００１】
本発明は、温蔵庫に係り、より詳細には、食品、飲み物などを暖かい状態で保管させる温蔵庫に関する。
【背景技術】
【０００２】
温蔵庫は、食品、飲み物などを暖かい状態で保管する装置である。温蔵庫には、電熱による電気温蔵庫と、ガスの燃焼熱によるガス温蔵庫と、乾燥熱風を循環させる乾式と水蒸気を循環させる湿式とがある。
【発明の概要】
【発明が解決しようとする課題】
【０００３】
このように従来の温蔵庫は、発電所から生産された電気や、ガスを必要とする。このような従来の温蔵庫は、携帯しにくい問題点がある。
【０００４】
一方、最近、環境に優しい製品に対する関心が高くなり、低電力で動作されるか、太陽電池を利用した製品の必要性が増加している。
【０００５】
本発明は、太陽エネルギーを用いて食べ物を暖かい状態で保管し、携帯可能にした温蔵庫を提供することを目的とする。
【課題を解決するための手段】
【０００６】
前記課題を果たすための本発明による温蔵庫は、外面が透明な素材からなり、内部に収容空間が形成され、前記収容空間を取り囲む部分の内部には、太陽エネルギーによって加熱される保温用流体が満たされるように形成されて外部の太陽エネルギーを受けて、前記保温用流体に熱を貯蔵し、前記熱で前記収容空間に収容された対象物を保温する本体部材と、前記本体部材の一側に形成されて、前記本体部材を窓に着脱可能にする着脱部材と、を含む。
【発明の効果】
【０００７】
本発明による温蔵庫において、事務室、家庭などの壁に設けられた窓に温蔵庫を付着させ、温蔵庫の内部に飲み物や食べ物などを一定時間に入れておき、食べ物などを暖めうる。また、暖かい食べ物を温蔵庫に入れて冷えないようにできる。ユーザが温蔵庫の内部の食べ物を摂取しようとする場合には、窓から温蔵庫を分離して内部の食べ物を取り出して摂取するか、または、窓から温蔵庫を分離して特定時間携帯して歩きながら食べ物を摂取しうる。
【図面の簡単な説明】
【０００８】
【図１】本発明の望ましい一実施形態による温蔵庫を示した斜視図である。
【図２】本発明の他の一実施形態による温蔵庫を示した斜視図である。
【発明を実施するための形態】
【０００９】
本発明を添付した図面を参照して詳しく説明すれば、次の通りである。ここで、同一の構成に対しては、同じ符号を使い、反復される説明、本発明の要旨を不明にする恐れがある公知機能及び構成についての詳細な説明は省略する。本発明の実施形態は、当業者に本発明をより完全に説明するために提供される。したがって、図面での要素の形状及び大きさなどは、より明確な説明のために誇張されうる。
【００１０】
以下、添付した図面によって、本発明の技術的構成を詳しく説明すれば、次の通りである。
【００１１】
図１及び図２を参照すると、本発明の望ましい一実施形態による温蔵庫１００は、本体部材１１０と、着脱部材１２０とを含む。
【００１２】
本体部材１１０は、外面が透明な素材からなり、内部に収容空間が形成され、前記収容空間を取り囲む部分の内部には、太陽エネルギーによって加熱される保温用流体が満たされるように形成される。本体部材１１０は、外部の太陽エネルギーを受けて保温用流体（図示せず）に熱を貯蔵し、前記熱で前記収容空間に収容された対象物を保温する役割を果たす。保温用流体は、太陽エネルギーによって加熱される。このような保温用流体の一例としては、水が挙げられる。
【００１３】
着脱部材１２０は、本体部材１１０の一側に形成されて、前記本体部材１１０が窓に着脱可能にする。このような着脱部材１２０の一例として、吸着板（ｓｕｃｔｉｏｎ  ｐｌａｔｅ）が挙げられる。本体部材１１０に着脱部材１２０を結合させる方法の一例として、本体部材１１０に結合用ホールを形成し、前記ホールに吸着板を結合させる。
【００１４】
事務室、家庭などの壁に設けられた窓に温蔵庫１００を付着させ、温蔵庫１００の内部に飲み物や食べ物などを一定時間に入れておき、食べ物などを暖めうる。また、暖かい食べ物を温蔵庫１００に入れて冷えないようにできる。ユーザが、温蔵庫１００の内部の食べ物を摂取しようとする場合には、窓から温蔵庫１００を分離して内部の食べ物を取り出して摂取するか、または、窓から温蔵庫１００を分離して特定時間携帯して歩きながら食べ物を摂取しうる。
【００１５】
一方、前述した本体部材１１０の詳細な構造の一例として、外部本体部１１１と、内部本体部１１２と、密閉部１１３とを含む。
【００１６】
外部本体部１１１は、透明な素材からなる。外部本体部１１１の素材の一例として、透明プラスチックが挙げられる。
【００１７】
内部本体部１１２は、外部本体部１１１に収容されるように形成され、収容空間が形成される。内部本体部１１２の大きさは、外部本体部１１１の大きさより小さく形成されたことが望ましい。内部本体部１１２は、熱伝導性に優れた素材からなりうる。内部本体部１１２の一例として、アルミニウムが挙げられる。前記のような外部本体部１１１と内部本体部１１２との形状の一例として、上面が開口された六面体状が挙げられる。また、外部本体部１１１と内部本体部１１２との形状の他の例として、上面が開口された円柱が挙げられる。
【００１８】
密閉部１１３は、保温用流体が外部に流出されないように外部本体部１１１と内部本体部１１２との間の上端の開口された部分を密閉するように形成される。密閉部１１３は、外部本体部１１１と内部本体部１１２との間に満たされた前記保温用流体の外部への流出を防止する。
【００１９】
前記のような構造からなる本体部材１１０では、外部の太陽エネルギーが保温用流体に熱を伝達する。保温用流体は、蓄積された熱で内部本体部１１２の収容空間に収容された食べ物を暖めるか、暖かい食べ物が冷えないようにする。
一方、温蔵庫１００の他の一例として、太陽電池部１３０と、加熱部（図示せず）とをさらに含みうる。
【００２０】
太陽電池部１３０は、本体部材１１０の一側に形成された太陽エネルギーを電気エネルギーに変換する。
【００２１】
加熱部は、外部本体部１１１と、内部本体部１１２と、保温用流体のうち選択された何れか一つに形成され、太陽電池部１３０と電気的に連結される。加熱部は、太陽電池部１３０の電気エネルギーを熱エネルギーに変換する。加熱部の一例として、発熱コイルが挙げられる。このような発熱コイルによって発生した熱で食べ物を暖めるか、暖かい食べ物が冷えないようにできる。
【００２２】
一方、本発明の温蔵庫１００は、電源コンセント１４０をさらに含みうる。電源コンセント１４０は、外部本体部１１１の一側に形成されたものである。電源コンセント１４０は、太陽電池部１３０と電気的に連結される。電源コンセント１４０に家電製品のプラグを結合させることができる。電源コンセント１４０は、太陽電池部１３０の電気を家電製品に伝達して家電製品を動作させる。
【００２３】
以上の説明は、本発明の技術思想を例示的に説明したものに過ぎないものであって、当業者ならば、本発明の本質的な特性から外れない範囲内で多様な修正、変更及び置き換えが可能であろう。したがって、本発明に開示された実施形態及び添付した図面は、本発明の技術思想を限定するためのものではなく、説明するためのものであり、このような実施形態及び添付した図面によって、本発明の技術思想の範囲が限定されるものではない。本発明の保護範囲は、下記の請求範囲によって解析しなければならず、それと同等な範囲内にある、あらゆる技術思想は、本発明の権利範囲に含まれるものと解析しなければならない。
【産業上の利用可能性】
【００２４】
本発明は、温蔵庫に関連する技術分野に適用可能である。
【符号の説明】
【００２５】
１００：温蔵庫
１１０：本体部材
１１１：外部本体部
１１２：内部本体部
１１３：密閉部
１１４：カバー部
１２０：着脱部材
１３０：太陽電池部
１４０：電源コンセント
【図１】
0005258870.tif 000002
【図２】
0005258870.tif 000003